【手続補正書】
【提出日】平成21年9月14日(2009.9.14)
【手続補正１】
【補正対象書類名】特許請求の範囲
【補正対象項目名】全文
【補正方法】変更
【補正の内容】
【特許請求の範囲】
【請求項１】
シートを給送する第１の給送部と、
前記第１の給送部よりも上流側に設けられ、シートを給送する第２の給送部と、
前記第１の給送部から給送すべきシートよりも画像形成順序が後となる前記第２の給送部から給送すべきシートを前記第１の給送部から給送すべきシートよりも先に給送を開始し、所定位置まで搬送する予備給送を実行する制御部と、
前記第１の給送部或いは前記第２の給送部により給送されたシートに画像形成を行う画像形成手段と、
を有し、前記第２の給送部からシートが予備給送された後に画像形成の一時中断要求が発生した場合、前記制御部は、前記予備給送されたシートよりも画像形成順序が前であり、且つ前記第１の給送部からまだ給送されていないシートを給送させて該シート及び前記予備給送されたシートへ画像形成させ、前記一時中断要求の発生前に前記第２の給送部から前記予備給送されたシートよりも画像形成順序が後となるシートを前記第１の給送部及び前記第２の給送部から給送しないことを特徴とする画像形成装置。
【請求項２】
前記一時中断要求はトナーがなくなったことにより発生されることを特徴とする請求項１記載の画像形成装置。
【請求項３】
前記前記第２の給送部からシートが給送された後に前記一時中断要求とは異なる画像形成の終了を指示する終了キーからの終了要求が発生した場合、前記制御部は、前記終了要求の発生前に前記第２の給送部から予備給送されたシートよりも画像形成順序が前であり、且つ前記第１の給送部からまだ給送されていないシートの給送を中止することを特徴とする請求項１記載の画像形成装置。
【請求項４】
前記制御部は、一時中断した画像形成を再開する場合、前記予備給送され、画像形成されたシートよりも画像形成順序が後となるシートを給送するよう前記第１の給送部及び第２の給送部を制御することを特徴とする請求項１記載の画像形成装置。
【請求項５】
前記第１の給送部から給送されるシートと前記第２の給送部から給送されるシートが搬送される搬送路を有し、前記予備給送では、前記第１の給送部により給送されるシートが前記搬送路に合流する位置よりも上流側の位置まで前記第２の給送部から給送されるシートが搬送されることを特徴とする請求項１記載の画像形成装置。
【手続補正２】
【補正対象書類名】明細書
【補正対象項目名】発明の名称
【補正方法】変更
【補正の内容】
【発明の名称】画像形成装置
【手続補正３】
【補正対象書類名】明細書
【補正対象項目名】０００１
【補正方法】変更
【補正の内容】
【０００１】
本発明は、画像形成装置における画像形成の一時中断要求時のシートの搬送制御に関するものである。
【手続補正４】
【補正対象書類名】明細書
【補正対象項目名】０００８
【補正方法】変更
【補正の内容】
【０００８】
この問題を解決するための技術として、画像形成装置１１００に接続される、給紙デッキ数や給紙デッキの接続、配置を考慮して給紙タイミング等を変更することが提案されている。あるいは、紙間をつめる為に搬送路上において、シートの搬送を加速する技術や、ページ順によらず画像形成装置までの距離が遠い給紙デッキから給紙を開始するような先行給紙（予備給送）といった技術で、紙間を一定に保ち生産性を向上させる技術が考えられている。
【手続補正５】
【補正対象書類名】明細書
【補正対象項目名】０００９
【補正方法】変更
【補正の内容】
【０００９】
前述した予備給送を行う場合、ページ順と無関係に各給紙デッキからシートが給紙されるため、給紙デッキと画像形成装置間における搬送路上には多数のシートが搬送された状態になる。
【手続補正６】
【補正対象書類名】明細書
【補正対象項目名】００１０
【補正方法】変更
【補正の内容】
【００１０】
ページ順に拠らない予備給送によりシートを供給する場合において、ユーザの入力によるプリント処理を一時的に停止すると、ページ順は正しいページ順、例えば、昇順、または降順とならず、ページ順に狂いが生じることになる。この場合、プリント再開時には正しいページ順で排出された最後のシート以降のシートを取り除き、次のページに相当するシートから供給処理を開始する必要がある。
【手続補正７】
【補正対象書類名】明細書
【補正対象項目名】００１２
【補正方法】変更
【補正の内容】
【００１２】
しかしながら、特許文献１の構成は、予備給送と関係する中断と再開に関するものではなく、新たな１面目の画像形成のための給紙に関しては何等開示されていない。
【手続補正８】
【補正対象書類名】明細書
【補正対象項目名】００１３
【補正方法】変更
【補正の内容】
【００１３】
本発明は、予備給送と関係する中断と再開に関する課題に鑑みてなされたものである。予備給送後に画像形成処理が一時的に中断となっても、既に給紙されているページを考慮して、未給紙のページに対応するシートの供給を制御して、ページの連続性を維持する画像形成装置の提供を目的とする。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
上記の目的を達成するべく、本発明にかかる画像形成装置は、以下の構成を備えることを特徴とする。
【手続補正１１】
【補正対象書類名】明細書
【補正対象項目名】００１６
【補正方法】変更
【補正の内容】
【００１６】
即ち、シートを給送する第１の給送部と、前記第１の給送部よりも上流側に設けられ、シートを給送する第２の給送部と、前記第１の給送部から給送すべきシートよりも画像形成順序が後となる前記第２の給送部から給送すべきシートを前記第１の給送部から給送すべきシートよりも先に給送を開始し、所定位置まで搬送する予備給送を実行する制御部と、前記第１の給送部或いは前記第２の給送部により給送されたシートに画像形成を行う画像形成手段と、を有し、前記第２の給送部からシートが予備給送された後に画像形成の一時中断要求が発生した場合、前記制御部は、前記予備給送されたシートよりも画像形成順序が前であり、且つ前記第１の給送部からまだ給送されていないシートを給送させて該シート及び前記予備給送されたシートへ画像形成させ、前記一時中断要求の発生前に前記第２の給送部から前記予備給送されたシートよりも画像形成順序が後となるシートを前記第１の給送部及び前記第２の給送部から給送しないことを特徴とする。
【手続補正１２】
【補正対象書類名】明細書
【補正対象項目名】００１７
【補正方法】変更
【補正の内容】
【００１７】
本発明によれば、予備給送後に画像形成処理が一時的に中断となっても、既に給紙されているページを考慮して、未給紙のページに対応するシートの供給を制御して、ページの連続性を維持した画像形成が可能になる。
【手続補正１３】
【補正対象書類名】明細書
【補正対象項目名】００１８
【補正方法】削除
【補正の内容】
【手続補正１４】
【補正対象書類名】明細書
【補正対象項目名】０１５８
【補正方法】変更
【補正の内容】
【０１５８】
本実施形態により、予備給送後に画像形成処理が一時的に中断となっても、既に給紙されているページを考慮して、未給紙のページに対応するシートの供給を制御して、ページの連続性を維持した画像形成が可能になる。